(57)【要約】【課題】収容された記録媒体の温度変化による変形や破壊を防止することができる自動料金収受車載器を提供すること。【解決手段】ＩＣカード１０を収容する記憶媒体収容手段１１０と、記憶媒体収容手段１１０に収容されたＩＣカード１０付近の温度を計測する温度計測手段１２０と、記憶媒体収容手段１１０に収容されたＩＣカード１０の温度を変化させる温度変化手段１３０と、温度計測手段１２０によって計測された計測温度に応じて温度変化手段１３０の作動状態を調節する作動状態調節手段１４０とを備える。【選択図】  図１
2005018355.tif 000002
【特許請求の範囲】
【請求項１】
記憶媒体を収容する記憶媒体収容手段と、
前記記憶媒体収容手段に収容された記憶媒体付近の温度を計測する温度計測手段と、
前記記憶媒体収容手段に収容された記憶媒体の温度を変化させる温度変化手段と、
前記温度計測手段によって計測された計測温度に応じて前記温度変化手段の作動状態を調節する作動状態調節手段とを備えたことを特徴とする自動料金収受車載器。
【請求項２】
前記温度変化手段が、前記記憶媒体収容手段に収容された記憶媒体を冷却する冷却装置よりなることを特徴とする請求項１に記載の自動料金収受車載器。
【請求項３】
前記冷却装置が、前記記憶媒体収容手段に収容された記憶媒体に向けて送風する冷却ファンを有することを特徴とする請求項２に記載の自動料金収受車載器。
【請求項４】
前記作動状態調節手段による作動状態の調節が、前記計測温度が予め定められた冷却温度以上になった場合には、前記温度変化手段を作動させ、前記計測温度が前記冷却温度未満になった場合には、前記温度変化手段を停止させるよう行われることを特徴とする請求項２または請求項３に記載の自動料金収受車載器。
【請求項５】
前記温度変化手段は、前記記憶媒体収容手段に収容された記憶媒体を加熱する加熱装置よりなることを特徴とする請求項１乃至請求項４の何れかに記載の自動料金収受車載器。
【請求項６】
前記加熱装置が、前記記憶媒体収容手段に収容された記憶媒体に向けて熱を放射するヒータを有することを特徴とする請求項５に記載の自動料金収受車載器。
【請求項７】
前記作動状態調節手段による作動状態の調節が、前記計測温度が予め定められた加熱温度以下になった場合には、前記温度変化手段を作動させ、前記計測温度が前記加熱温度を超過した場合には、前記温度変化手段を停止させるよう行われることを特徴とする請求項５または請求項６に記載の自動料金収受車載器。
【請求項８】
前記温度変化手段が、ペルチェ素子を有することを特徴とする請求項１に記載の自動料金収受車載器。
【請求項９】
前記作動状態調節手段による作動状態の調節が、前記計測温度が予め定められた冷却温度以上になった場合には、前記記憶媒体収容手段に収容された記憶媒体側の面から吸熱するよう前記ペルチェ素子を作動させ、前記計測温度が前記冷却温度未満になった場合には、前記ペルチェ素子を停止させるよう行われることを特徴とする請求項８に記載の自動料金収受車載器。
【請求項１０】
前記作動状態調節手段による作動状態の調節が、前記計測温度が予め定められた加熱温度以下になった場合には、前記記憶媒体収容手段に収容された記憶媒体側の面から放熱するよう前記ペルチェ素子を作動させ、前記計測温度が前記冷却温度を超過した場合には、前記ペルチェ素子を停止させるよう行われることを特徴とする請求項８または請求項９に記載の自動料金収受車載器。
【請求項１１】
記憶媒体を収容する記憶媒体収容手段と、
前記記憶媒体収容手段に収容された記憶媒体付近の温度を計測する温度計測手段と、
前記記憶媒体収容手段に収容された記憶媒体を排出する媒体排出手段と、
前記温度計測手段によって計測された計測温度に応じて前記媒体排出手段を作動させる排出作動手段とを備えたことを特徴とする自動料金収受車載器。
【請求項１２】
前記記憶媒体収容手段に収容された記憶媒体を排出する媒体排出手段と、
前記温度計測手段によって計測された計測温度に応じて前記媒体排出手段を作動させる排出作動手段とを備えたことを特徴とする請求項１乃至請求項１０の何れかに記載の自動料金収受車載器。
【請求項１３】
前記排出作動手段による前記媒体排出手段の作動が、前記計測温度が予め定められた許容温度範囲外に達した際に行われるようにしたことを特徴とする請求項１１または請求項１２に記載の自動料金収受車載器。
【請求項１４】
前記媒体排出手段が弾性体を有し、前記媒体排出手段による記憶媒体の排出が前記弾性体の反発力を以って行われるようにしたことを特徴とする請求項１１乃至請求項１３の何れかに記載の自動料金収受車載器。
【発明の詳細な説明】
【０００１】
【発明の属する技術分野】
本発明は、自動料金収受車載器に関し、詳しくは、無線通信によって高速道路等の有料道路の料金収受を行う自動料金収受システム（Ｅｌｅｃｔｒｏｎｉｃ  Ｔｏｌｌ  Ｃｏｌｌｅｃｔｉｏｎ  Ｓｙｓｔｅｍ、「ＥＴＣ」ともいう。）を構成するＥＴＣ車載器に関するものである。
【０００２】
【従来の技術】
従来、無線通信によって高速道路等の有料道路の料金収受を行う自動料金収受車載器が知られている（例えば、特許文献１参照。）。
【０００３】
図１３に示す特許文献１に開示されたＤＳＲＣ車載器（自動料金収受車載器）９００は、ＥＴＣで採用される狭域通信（Ｄｅｄｉｃａｔｅｄ  Ｓｈｏｒｔ  Ｒａｎｇｅ  Ｃｏｍｍｕｎｉｃａｔｉｏｎｓ、「ＤＳＲＣ」ともいう。）を行うものである。ＤＳＲＣ車載器９００は、ＩＣカード１０を収納するＩＣカード収納部９１０と、ＩＣカード１０の電極部に接続されるコンタクト部９２０と、回路基板９３０に配設された温度センサ９４０、９５０と、温度センサ９４０、９５０によって計測された温度がＩＣカード１０の耐熱温度範囲を逸脱した場合に警報を発する警報手段９６０、９７０とを備えている。
【０００４】
前述のように構成された、ＤＳＲＣ車載器９００においては、ＩＣカード収納部９１０に収容されたＩＣカード１０の温度が耐熱温度を超えた場合に、警報手段９６０、９７０を介して警報が発せられる。
【０００５】
【特許文献１】
特開２０００−２７６６２５号公報（第５頁、第１−２図）
【０００６】
【発明が解決しようとする課題】
しかしながら、このような従来のＤＳＲＣ車載器９００は、ＩＣカード収納部９１０に収容されたＩＣカード１０等の記録媒体の温度変化による変形や破壊を防止することができないといった問題があった。
【０００７】
本発明は、このような問題を解決するためになされたもので、収容された記録媒体の温度変化による変形や破壊を防止することができる自動料金収受車載器を提供するものである。
【０００８】
【課題を解決するための手段】
本発明の自動料金収受車載器は、記憶媒体を収容する記憶媒体収容手段と、前記記憶媒体収容手段に収容された記憶媒体付近の温度を計測する温度計測手段と、前記記憶媒体収容手段に収容された記憶媒体の温度を変化させる温度変化手段と、前記温度計測手段によって計測された計測温度に応じて前記温度変化手段の作動状態を調節する作動状態調節手段とを備えた構成を有している。
この構成により、記憶媒体収容手段に収容された記録媒体付近の温度に応じて、温度変化手段によって記録媒体の温度を変化させるため、収容された記録媒体の温度変化による変形や破壊を防止することができる。
【０００９】
また、本発明の自動料金収受車載器は、前記温度変化手段が、前記記憶媒体収容手段に収容された記憶媒体を冷却する冷却装置よりなる構成を有している。
この構成により、記憶媒体収容手段に収容された記憶媒体付近の温度に応じて、温度変化手段によって記憶媒体を冷却するため、収容された記憶媒体の温度変化による変形や破壊を防止することができる。
【００１０】
また、本発明の自動料金収受車載器は、前記冷却装置が、前記記憶媒体収容手段に収容された記憶媒体に向けて送風する冷却ファンを有している。
この構成により、記憶媒体収容手段に収容された記憶媒体付近の温度に応じて、冷却ファンによって記憶媒体を冷却するため、収容された記憶媒体の温度変化による変形や破壊を防止することができる。
【００１１】
また、本発明の自動料金収受車載器は、前記作動状態調節手段による作動状態の調節が、前記計測温度が予め定められた冷却温度以上になった場合には、前記温度変化手段を作動させ、前記計測温度が前記冷却温度未満になった場合には、前記温度変化手段を停止させるよう行われる構成を有している。
この構成により、記憶媒体収容手段に収容された記憶媒体付近の温度が所定の冷却温度以上になった場合には、温度変化手段によって記憶媒体を冷却するため、収容された記録媒体の温度変化による変形や破壊を防止することができる。
【００１２】
また、本発明の自動料金収受車載器は、前記温度変化手段は、前記記憶媒体収容手段に収容された記憶媒体を加熱する加熱装置よりなる構成を有している。
この構成により、記憶媒体収容手段に収容された記憶媒体付近の温度に応じて、温度変化手段によって記憶媒体を加熱するため、収容された記憶媒体の温度変化による変形や破壊を防止することができる。
【００１３】
また、本発明の自動料金収受車載器は、前記加熱装置が、前記記憶媒体収容手段に収容された記憶媒体に向けて熱を放射するヒータを有している。
この構成により、記憶媒体収容手段に収容された記憶媒体付近の温度に応じて、ヒータによって記憶媒体を加熱するため、収容された記憶媒体の温度変化による変形や破壊を防止することができる。
【００１４】
また、本発明の自動料金収受車載器は、前記作動状態調節手段による作動状態の調節が、前記計測温度が予め定められた加熱温度以下になった場合には、前記温度変化手段を作動させ、前記計測温度が前記加熱温度を超過した場合には、前記温度変化手段を停止させるよう行われる構成を有している。
この構成により、記憶媒体収容手段に収容された記憶媒体付近の温度が所定の加熱温度以下になった場合には、温度変化手段によって記憶媒体を加熱するため、収容された記録媒体の温度変化による変形や破壊を防止することができる。
【００１５】
また、本発明の自動料金収受車載器は、前記温度変化手段が、ペルチェ素子を有している。
この構成により、記憶媒体収容手段に収容された記憶媒体付近の温度に応じて、ペルチェ素子によって記憶媒体を冷却または加熱するため、収容された記憶媒体の温度変化による変形や破壊を防止することができる。
【００１６】
また、本発明の自動料金収受車載器は、前記作動状態調節手段による作動状態の調節が、前記計測温度が予め定められた冷却温度以上になった場合には、前記記憶媒体収容手段に収容された記憶媒体側の面から吸熱するよう前記ペルチェ素子を作動させ、前記計測温度が前記冷却温度未満になった場合には、前記ペルチェ素子を停止させるよう行われる構成を有している。
この構成により、記憶媒体収容手段に収容された記憶媒体付近の温度が所定の冷却温度以上になった場合には、ペルチェ素子によって記憶媒体を冷却するため、収容された記録媒体の温度変化による変形や破壊を防止することができる。
【００１７】
また、本発明の自動料金収受車載器は、前記作動状態調節手段による作動状態の調節が、前記計測温度が予め定められた加熱温度以下になった場合には、前記記憶媒体収容手段に収容された記憶媒体側の面から放熱するよう前記ペルチェ素子を作動させ、前記計測温度が前記冷却温度を超過した場合には、前記ペルチェ素子を停止させるよう行われる構成を有している。
この構成により、記憶媒体収容手段に収容された記憶媒体付近の温度が所定の加熱温度以下になった場合には、ペルチェ素子によって記憶媒体を加熱するため、収容された記録媒体の温度変化による変形や破壊を防止することができる。
【００１８】
また、本発明の自動料金収受車載器は、記憶媒体を収容する記憶媒体収容手段と、前記記憶媒体収容手段に収容された記憶媒体付近の温度を計測する温度計測手段と、前記記憶媒体収容手段に収容された記憶媒体を排出する媒体排出手段と、前記温度計測手段によって計測された計測温度に応じて前記媒体排出手段を作動させる排出作動手段とを備えた構成を有している。
この構成により、記憶媒体収容手段に収容された記憶媒体付近の温度に応じて、媒体排出手段によって記録媒体を排出するため、収容された記録媒体の温度変化による変形や破壊を防止することができる。
【００１９】
また、本発明の自動料金収受車載器は、前記記憶媒体収容手段に収容された記憶媒体を排出する媒体排出手段と、前記温度計測手段によって計測された計測温度に応じて前記媒体排出手段を作動させる排出作動手段とを備えた構成を有している。
この構成により、記憶媒体収容手段に収容された記憶媒体付近の温度に応じて、媒体排出手段によって記録媒体を排出するため、収容された記録媒体の温度変化による変形や破壊を冷却または加熱によって防止できなかった場合に対処することができる。
【００２０】
また、本発明の自動料金収受車載器は、前記排出作動手段による前記媒体排出手段の作動が、前記計測温度が予め定められた許容温度範囲外に達した際に行われる構成を有している。
この構成により、記憶媒体収容手段に収容された記憶媒体付近の温度が所定の許容温度範囲外に達した場合には、媒体排出手段によって記録媒体を排出するため、収容された記録媒体の温度変化による変形や破壊を防止することができる。
【００２１】
また、本発明の自動料金収受車載器は、前記媒体排出手段が弾性体を有し、前記媒体排出手段による記憶媒体の排出が前記弾性体の反発力を以って行われる構成を有している。
この構成により、記憶媒体収容手段に収容された記憶媒体付近の温度が所定の許容温度範囲外に達した場合には、弾性体の反発力によって記録媒体を排出するため、収容された記録媒体の温度変化による変形や破壊を防止することができる。
【００２２】
【発明の実施の形態】
以下、本発明の実施の形態について、図面を参照して説明する。なお、以下に説明する本発明の実施の形態は、本発明の自動料金収受車載器をＥＴＣ車載器に適用し、ＥＴＣ車載器に収容される記録媒体としてＩＣカードを適用した例を示している。
【００２３】
（第１の実施の形態）
図１は、本発明の第１の実施の形態のＥＴＣ車載器１００の断面図であり、図２は、ＥＴＣ車載器１００の構成を示すブロック図である。
【００２４】
ＥＴＣ車載器１００は、ＩＣカード１０を収容する記憶媒体収容手段１１０と、記憶媒体収容手段１１０に収容されたＩＣカード１０付近の温度を計測する温度計測手段１２０と、記憶媒体収容手段１１０に収容されたＩＣカード１０を冷却する温度変化手段１３０と、温度計測手段１２０によって計測された計測温度に応じて温度変化手段１３０の作動状態を調節する作動状態調節手段１４０とを備えている。
【００２５】
筐体１９０に固定された回路基盤１５０には、温度計測手段１２０、作動状態調節手段１４０、路測機と無線通信するためのアンテナ１５１、ＥＴＣに関する処理を行うＥＴＣ処理部１５２、およびＩＣカード１０との間で情報を送受信するコンタクト部１６０等が例えば図１に示すように配置されている。
【００２６】
記憶媒体収容手段１１０は、筐体１９０に形成されたＩＣカード挿入口１９３より挿入されるＩＣカード１０を着脱自在に収容するようになっている。記憶媒体収容手段１１０にＩＣカード１０が収容された際には、コンタクト部１６０を介してＩＣカード１０との間で情報が送受信されるようになっている。
【００２７】
温度計測手段１２０は、記憶媒体収容手段１１０に収容されたＩＣカード１０付近、例えば、コンタクト部１６０近傍の回路基盤１５０上に配置される。温度計測手段１２０は、サーミスタや熱電対等の温度センサを有し、温度センサによって計測された計測温度を表す計測温度情報を作動状態調節手段１４０に出力するようになっている。
【００２８】
温度変化手段１３０は、筐体１９０に固定されており、記憶媒体収容手段１１０に収容されたＩＣカード１０を冷却する冷却装置によって構成されている。本実施の形態において、温度変化手段１３０を構成する冷却装置は、筐体１９０に形成された吸気口１９１より吸気した空気をＩＣカード１０に向けて送風する冷却ファンを有している。
【００２９】
なお、筐体１９０に吸気口１９１を形成する場合には、吸気口１９１には、防塵フィルタ１９２を設けることが望ましい。また、冷却ファンによって吸気された空気を排気するＩＣカード挿入口１９３にも防塵フィルタを設ける場合には、ＩＣカード１０の挿入および排出を妨げないように十分な間隙を設けるようにする。
【００３０】
温度計測手段１２０によって出力された計測温度情報は、作動状態調節手段１４０に入力されるようになっており、作動状態調節手段１４０は、入力された計測温度情報に応じて温度変化手段１３０の作動状態を調節するようになっている。
【００３１】
具体的には、作動状態調節手段１４０は、予め定められた冷却温度を記憶しており、温度計測手段１２０によって出力された計測温度情報に示される計測温度が、温度変化手段１３０を構成する冷却ファンが停止しているときに冷却温度以上になった場合には、温度変化手段１３０を構成する冷却ファンを作動させ、冷却ファンが作動しているときに冷却温度未満になった場合には、冷却ファンを停止させるよう冷却ファンの駆動電源の供給を調整するようになっている。
【００３２】
なお、作動状態調節手段１４０は、計測温度と冷却温度との差分温度に応じて冷却ファンの駆動電源の供給を調整するようにし、冷却ファンの回転速度および作動間欠時間の少なくとも一方を調整するようにしてもよい。
【００３３】
また、作動状態調節手段１４０は、計測温度の時間推移に応じて冷却ファンの駆動電源の供給を調整するようにし、冷却ファンの回転速度および作動間欠時間の少なくとも一方を調整するようにしてもよい。
【００３４】
また、作動状態調節手段１４０は、冷却ファンの作動および停止を単に切り替える場合には、計測温度が冷却温度以上か否かによって電流をオンオフするサーモスタットによって温度計測手段１２０と一体に構成してもよい。
【００３５】
以下、図面を参照してＥＴＣ車載器１００の動作を説明する。
図３は、本発明の第１の実施の形態のＥＴＣ車載器１００の動作を示すフローチャートである。
【００３６】
まず、記憶媒体収容手段１１０に収容されたＩＣカード１０付近の温度が温度計測手段１２０によって計測される（Ｓ１１０）。次に、温度計測手段１２０によって計測された計測温度が予め定められた冷却温度以上であるか否かが作動状態調節手段１４０によって判断される（Ｓ１２０）。
【００３７】
計測温度が冷却温度以上と判断され、かつ温度変化手段１３０を構成する冷却ファンが停止している場合（Ｓ１３０）には、冷却ファンを作動させるよう冷却ファンの駆動電源の供給が作動状態調節手段１４０によって調節される（Ｓ１４０）。
【００３８】
一方、計測温度が冷却温度未満と判断され、かつ冷却ファンが作動している場合（Ｓ１５０）には、冷却ファンを停止させるよう冷却ファンの駆動電源の供給が作動状態調節手段１４０によって調節される（Ｓ１６０）。
【００３９】
以上説明したように、本発明の第１の実施の形態のＥＴＣ車載器１００は、記憶媒体収容手段１１０に収容されたＩＣカード１０付近の温度が所定の冷却温度以上になった場合には、温度変化手段１３０によってＩＣカード１０を冷却するため、収容されたＩＣカード１０の温度変化による変形や破壊を防止することができる。
【００４０】
（第２の実施の形態）
図４は、本発明の第２の実施の形態のＥＴＣ車載器２００の断面図であり、図５は、ＥＴＣ車載器２００の構成を示すブロック図である。
【００４１】
ＥＴＣ車載器２００は、ＩＣカード１０を収容する記憶媒体収容手段１１０と、記憶媒体収容手段１１０に収容されたＩＣカード１０付近の温度を計測する温度計測手段１２０と、記憶媒体収容手段１１０に収容されたＩＣカード１０を加熱する温度変化手段２３０と、温度計測手段１２０によって計測された計測温度に応じて温度変化手段２３０の作動状態を調節する作動状態調節手段２４０とを備えている。
【００４２】
なお、本発明の第２の実施の形態に係るＥＴＣ車載器２００においては、本発明の第１の実施の形態に係るＥＴＣ車載器１００の構成要素と同一の構成要素に本発明の第１の実施の形態に係るＥＴＣ車載器１００の構成要素と同一の符号を付して、その説明を省略する。
【００４３】
温度変化手段２３０は、筐体２９０に固定されており、記憶媒体収容手段１１０に収容されたＩＣカード１０を加熱する加熱装置によって構成されている。本実施の形態において、温度変化手段２３０を構成する加熱装置は、ＩＣカード１０に向けて熱を放射するヒータを有している。
【００４４】
温度計測手段１２０によって出力された計測温度情報は、作動状態調節手段２４０に入力されるようになっており、作動状態調節手段２４０は、入力された計測温度情報に応じて温度変化手段２３０の作動状態を調節するようになっている。
【００４５】
具体的には、作動状態調節手段２４０は、予め定められた加熱温度を記憶しており、温度計測手段１２０によって出力された計測温度情報に示される計測温度が、温度変化手段２３０を構成するヒータが停止しているときに加熱温度以下になった場合には、ヒータを作動させ、ヒータが作動しているときに加熱温度を超えた場合には、ヒータを停止させるようヒータの駆動電源の供給を調整するようになっている。
【００４６】
なお、作動状態調節手段２４０は、計測温度と加熱温度との差分温度に応じてヒータの駆動電源の供給を調整するようにし、ヒータの加熱温度および加熱間欠時間の少なくとも一方を調整するようにしてもよい。
【００４７】
また、作動状態調節手段２４０は、計測温度の時間推移に応じてヒータの駆動電源の供給を調整するようにし、ヒータの加熱温度および加熱間欠時間の少なくとも一方を調整するようにしてもよい。
【００４８】
また、作動状態調節手段２４０は、ヒータの作動および停止を単に切り替える場合には、計測温度が加熱温度以下か否かによって電流をオンオフするサーモスタットによって温度計測手段１２０と一体に構成するようにしてもよい。
【００４９】
以下、図面を参照してＥＴＣ車載器２００の動作を説明する。
図６は、本発明の第２の実施の形態のＥＴＣ車載器２００の動作を示すフローチャートである。
【００５０】
まず、記憶媒体収容手段１１０に収容されたＩＣカード１０付近の温度が温度計測手段１２０によって計測される（Ｓ２１０）。次に、温度計測手段１２０によって計測された計測温度が予め定められた加熱温度以下であるか否かが作動状態調節手段２４０によって判断される（Ｓ２２０）。
【００５１】
計測温度が加熱温度以下と判断され、かつ温度変化手段２３０を構成するヒータが停止している場合（Ｓ２３０）には、ヒータを作動させるようヒータの駆動電源の供給が作動状態調節手段２４０によって調節される（Ｓ２４０）。
【００５２】
一方、計測温度が加熱温度を超えていると判断され、かつヒータが作動している場合（Ｓ２５０）には、ヒータを停止させるようヒータの駆動電源の供給が作動状態調節手段２４０によって調節される（Ｓ２６０）。
【００５３】
以上説明したように、本発明の第２の実施の形態のＥＴＣ車載器２００は、記憶媒体収容手段１１０に収容されたＩＣカード１０付近の温度が所定の加熱温度以下になった場合には、温度変化手段２３０によってＩＣカード１０を加熱するため、収容されたＩＣカード１０の温度変化による変形や破壊を防止することができる。
【００５４】
なお、本発明は、本発明の第１の実施の形態のＥＴＣ車載器１００と本発明の第２の実施の形態のＥＴＣ車載器２００を組み合わせることによって、ＩＣカード１０の過熱および過冷却による変形や破壊を防止することができる。以下に説明する、本発明の第３の実施の形態のＥＴＣ車載器３００は、ＩＣカード１０の過熱および過冷却による変形や破壊を防止するために冷却ファンおよびヒータに代えてペルチェ素子を用いるものである。
【００５５】
（第３の実施の形態）
図７は、本発明の第３の実施の形態のＥＴＣ車載器３００の断面図であり、図８は、ＥＴＣ車載器３００の構成を示すブロック図である。
【００５６】
ＥＴＣ車載器３００は、ＩＣカード１０を収容する記憶媒体収容手段１１０と、記憶媒体収容手段１１０に収容されたＩＣカード１０付近の温度を計測する温度計測手段１２０と、記憶媒体収容手段１１０に収容されたＩＣカード１０を冷却または加熱する温度変化手段３３０と、温度計測手段１２０によって計測された計測温度に応じて温度変化手段３３０の作動状態を調節する作動状態調節手段３４０とを備えている。
【００５７】
なお、本発明の第３の実施の形態に係るＥＴＣ車載器３００においては、本発明の第２の実施の形態に係るＥＴＣ車載器２００の構成要素と同一の構成要素に本発明の第２の実施の形態に係るＥＴＣ車載器２００の構成要素と同一の符号を付して、その説明を省略する。
【００５８】
温度変化手段３３０は、筐体２９０に固定されており、記憶媒体収容手段１１０に収容されたＩＣカード１０を冷却および加熱するペルチェ素子によって構成されている。
【００５９】
温度計測手段１２０によって出力された計測温度情報は、作動状態調節手段３４０に入力されるようになっており、作動状態調節手段３４０は、入力された計測温度情報に応じて温度変化手段３３０の作動状態を調節するようになっている。
【００６０】
具体的には、作動状態調節手段３４０は、予め定められた冷却温度および加熱温度を記憶しており、温度計測手段１２０によって出力された計測温度情報に示される計測温度が、温度変化手段３３０を構成するペルチェ素子が停止しているときに冷却温度以上または加熱温度以下になった場合には、ペルチェ素子を作動させ、ペルチェ素子が作動しているときに計測温度が冷却温度未満から加熱温度を超える範囲になった場合には、ペルチェ素子を停止させるようペルチェ素子の通電を調整するようになっている。
【００６１】
ここで、作動状態調節手段３４０は、計測温度が冷却温度以上になった場合と計測温度が加熱温度以下になった場合とにおいてに正負逆の電流がペルチェ素子に流れるよう通電を調整するようになっている。なお、ペルチェ素子において、記憶媒体収容手段１１０に収容されたＩＣカード１０側の面を冷却する電流の方向を正方向、加熱する電流の方向を逆方向とする。
【００６２】
なお、作動状態調節手段３４０は、計測温度と冷却温度または加熱温度との差分温度に応じてペルチェ素子の通電を調整するようにし、ペルチェ素子に流す電流または電圧、および通電間欠時間の少なくとも１つを調整するようにしてもよい。
【００６３】
また、作動状態調節手段３４０は、計測温度の時間推移に応じてペルチェ素子の通電を調整するようにし、ペルチェ素子に流す電流または電圧、および通電間欠時間の少なくとも１つを調整するようにしてもよい。
【００６４】
また、作動状態調節手段３４０は、ペルチェ素子の作動および停止を単に切り替える場合には、計測温度が冷却温度以上か否かによって電流をオンオフするサーモスタットと計測温度が加熱温度以上か否かによって電流をオンオフするサーモスタットとによって温度計測手段１２０と一体に構成するようにしてもよい。
【００６５】
以下、図面を参照してＥＴＣ車載器３００の動作を説明する。
図９は、本発明の第３の実施の形態のＥＴＣ車載器３００の動作を示すフローチャートである。
【００６６】
まず、記憶媒体収容手段１１０に収容されたＩＣカード１０付近の温度が温度計測手段１２０によって計測される（Ｓ３１０）。次に、温度計測手段１２０によって計測された計測温度が予め定められた冷却温度以上であるか否かが作動状態調節手段３４０によって判断される（Ｓ３２０）。
【００６７】
計測温度が冷却温度以上と判断され、かつ温度変化手段３３０を構成するペルチェ素子の通電が正方向ではない場合（Ｓ３３０）には、ペルチェ素子に正方向の電流が流れるようペルチェ素子の通電が作動状態調節手段３４０によって調節される（Ｓ３４０）。
【００６８】
一方、計測温度が加熱温度を超えていると判断された場合には、温度計測手段１２０によって計測された計測温度が予め定められた加熱温度以下であるか否かが作動状態調節手段３４０によって判断される（Ｓ３５０）。
【００６９】
計測温度が加熱温度以下と判断され、かつペルチェ素子の通電が逆方向ではない場合（Ｓ３６０）には、ペルチェ素子に逆方向の電流が流れるようペルチェ素子の通電が作動状態調節手段３４０によって調節される（Ｓ３７０）。一方、計測温度が加熱温度を超えていると判断され、かつペルチェ素子への通電が停止していない場合（Ｓ３８０）には、ペルチェ素子の通電が停止するよう作動状態調節手段３４０によって調節される（Ｓ３９０）。
【００７０】
以上説明したように、本発明の第３の実施の形態のＥＴＣ車載器３００は、記憶媒体収容手段１１０に収容されたＩＣカード１０付近の温度が所定の冷却温度以上または加熱温度以下になった場合には、温度変化手段３３０によってＩＣカード１０を冷却または加熱するため、収容されたＩＣカード１０の熱による変形や破壊を防止することができる。
【００７１】
なお、本発明は、ＩＣカード１０の冷却または加熱のいずれか一方の効果を得るために、作動状態調節手段３４０の構成を簡略化してもよい。作動状態調節手段３４０の構成を簡略化した場合については、本発明の第３の実施の形態の説明に基づいて容易に実施できるため、その説明を省略する。
【００７２】
（第４の実施の形態）
図１０は、本発明の第４の実施の形態のＥＴＣ車載器４００の断面図であり、図１１は、ＥＴＣ車載器４００の構成を示すブロック図である。
【００７３】
ＥＴＣ車載器４００は、ＩＣカード１０を収容する記憶媒体収容手段１１０と、記憶媒体収容手段１１０に収容されたＩＣカード１０付近の温度を計測する温度計測手段１２０と、記憶媒体収容手段１１０に収容されたＩＣカード１０を排出する媒体排出手段４７０と、温度計測手段１２０によって計測された計測温度に応じて媒体排出手段４７０を作動させる排出作動手段４８０とを備えている。
【００７４】
なお、本発明の第４の実施の形態に係るＥＴＣ車載器４００においては、本発明の第２の実施の形態に係るＥＴＣ車載器２００の構成要素と同一の構成要素に本発明の第２の実施の形態に係るＥＴＣ車載器２００の構成要素と同一の符号を付して、その説明を省略する。
【００７５】
媒体排出手段４７０は、記憶媒体収容手段１１０にＩＣカード１０が収容された際にＩＣカード１０の端部と当接する当接部と、一端を当接部に固定され、他端を筐体２９０に固定された１つ以上のバネ等による弾性体によって構成され、当接部がＩＣカード１０の挿入方向に変移するようになっている。
【００７６】
媒体排出手段４７０は、記憶媒体収容手段１１０に収容されたＩＣカード１０がコンタクト部１６０と情報の送受信が可能となる位置でＩＣカード１０をラッチするようになっている。このラッチは、排出作動手段４８０によって解除可能になっており、ラッチが解除された際にＩＣカード１０は、弾性体の反発力を以って筐体２９０から排出されるようになっている。
【００７７】
温度計測手段１２０によって出力された計測温度情報は、排出作動手段４８０に入力されるようになっており、排出作動手段４８０は、入力された計測温度情報に応じて媒体排出手段４７０を作動させるようになっている。
【００７８】
具体的には、排出作動手段４８０は、予め定められた許容温度範囲を記憶しており、温度計測手段１２０によって出力された計測温度情報に示される計測温度が、許容温度範囲外に達した場合には、媒体排出手段４７０のラッチを解除するようになっている。
【００７９】
以下、図面を参照してＥＴＣ車載器４００の動作を説明する。
図１２は、本発明の第４の実施の形態のＥＴＣ車載器４００の動作を示すフローチャートである。
【００８０】
まず、記憶媒体収容手段１１０に収容されたＩＣカード１０付近の温度が温度計測手段１２０によって計測される（Ｓ４１０）。次に、温度計測手段１２０によって計測された計測温度が予め定められた許容温度範囲外に達したか否かが排出作動手段４８０によって判断される（Ｓ４２０）。
【００８１】
計測温度が許容温度範囲外に達したと判断された場合には、媒体排出手段４７０が排出作動手段４８０によって作動され（Ｓ４３０）、記憶媒体収容手段１１０に収容されたＩＣカード１０が媒体排出手段４７０によって筐体２９０から排出される（Ｓ４４０）。
【００８２】
以上説明したように、本発明の第４の実施の形態のＥＴＣ車載器４００は、記憶媒体収容手段１１０に収容されたＩＣカード１０付近の温度が所定の許容温度範囲外に達した場合には、媒体排出手段４７０によってＩＣカード１０を排出するため、収容されたＩＣカード１０の温度変化による変形や破壊を防止することができる。
【００８３】
なお、本発明は、ＩＣカード１０の冷却または加熱のいずれか一方の効果を得るために、排出作動手段４８０の構成を簡略化してもよい。排出作動手段４８０の構成を簡略化した場合については、本発明の第４の実施の形態の説明に基づいて容易に実施できるため、その説明を省略する。
【００８４】
また、本発明は、本発明の第４の実施の形態のＥＴＣ車載器４００と本発明の第１の実施の形態のＥＴＣ車載器１００乃至本発明の第３の実施の形態のＥＴＣ車載器３００の何れかとを単に組み合わせることによって、ＩＣカード１０の温度変化による変形や破壊をより防止することができる。
【００８５】
【発明の効果】
以上説明したように、本発明は、収容された記録媒体の温度変化による変形や破壊を防止することができる自動料金収受車載器を提供することができるものである。
【図面の簡単な説明】
【図１】本発明の第１の実施の形態のＥＴＣ車載器の断面図
【図２】本発明の第１の実施の形態のＥＴＣ車載器の構成を示すブロック図
【図３】本発明の第１の実施の形態のＥＴＣ車載器の動作を示すフローチャート
【図４】本発明の第２の実施の形態のＥＴＣ車載器の断面図
【図５】本発明の第２の実施の形態のＥＴＣ車載器の構成を示すブロック図
【図６】本発明の第２の実施の形態のＥＴＣ車載器の動作を示すフローチャート
【図７】本発明の第３の実施の形態のＥＴＣ車載器の断面図
【図８】本発明の第３の実施の形態のＥＴＣ車載器の構成を示すブロック図
【図９】本発明の第３の実施の形態のＥＴＣ車載器の動作を示すフローチャート
【図１０】本発明の第４の実施の形態のＥＴＣ車載器の断面図
【図１１】本発明の第４の実施の形態のＥＴＣ車載器の構成を示すブロック図
【図１２】本発明の第４の実施の形態のＥＴＣ車載器の動作を示すフローチャート
【図１３】従来のＤＳＲＣ車載器の断面図
【符号の説明】
１０  ＩＣカード
１００、２００、３００、４００  ＥＴＣ車載器
１１０  記憶媒体収容手段
１２０  温度計測手段
１３０、２３０、３３０  温度変化手段
１４０、２４０、３４０  作動状態調節手段
１５０  回路基盤
１５１  アンテナ
１５２  ＥＴＣ処理部
１６０、９２０  コンタクト部
１９０、２９０  筐体
１９１  吸気口
１９２  防塵フィルタ
１９３  ＩＣカード挿入口
４７０  媒体排出手段
４８０  排出作動手段
９００  ＤＳＲＣ車載器
９１０  ＩＣカード収納部
９３０  回路基板
９４０、９５０  温度センサ
９６０、９７０  警報手段
【図１】
2005018355.tif 000003
【図２】
2005018355.tif 000004
【図３】
2005018355.tif 000005
【図４】
2005018355.tif 000006
【図５】
2005018355.tif 000007
【図６】
2005018355.tif 000008
【図７】
2005018355.tif 000009
【図８】
2005018355.tif 000010
【図９】
2005018355.tif 000011
【図１０】
2005018355.tif 000012
【図１１】
2005018355.tif 000013
【図１２】
2005018355.tif 000014
【図１３】
2005018355.tif 000015